(57)【要約】 【課題】電線とマットシールとの密着性を強化させ防水性能の向上が可能となる防水コネクタを提供する。【解決手段】防水コネクタ１は、ハウジング１０と、マットシール２０と、マットシールカバー３０と、端子４０と、を備えている。ハウジング１０は、端子収容室１１と、マットシール収容部１２と、を、マットシール２０は、電線挿通孔２１を、マットシールカバー３０は、端子貫通孔３１を、それぞれ有し、端子４０は、電線５０の端末部に固定されている。また、内周リップ２２の厚みがａ、高さがｂ、端子４０の移動可能範囲長さがｃのとき、ｃ＜ａ＜ｂが成立する。内周リップ２２同士が当接すると共に端子４０の動きに合わせて内周リップ２２が追従し、内周リップ２２と電線５０との水密性が高くなり防水コネクタ１の防水性が向上する。【選択図】図１
2015041425.tif 000002
【特許請求の範囲】
【請求項１】
電線の端末に取り付けられた端子を装着可能な防水コネクタであって、
前記端子を収容する端子収容室を有するハウジングと、
前記電線が挿通する電線挿通孔を有し、前記端子収容室の後方に装着されるマットシールと、
前記マットシールを前記ハウジングに固定するマットシールカバーと、を備え、
前記マットシールの前記電線挿通孔に、前記電線に密着可能な内周リップが設けられ、当該内周リップの厚みがａ、高さがｂ、前記端子の移動可能範囲長さがｃのとき、ｃ＜ａ＜ｂが成立することを特徴とする防水コネクタ。
【発明の詳細な説明】
【技術分野】
【０００１】
本発明は、防水コネクタに関する。
【背景技術】
【０００２】
電線の端末に取り付けられた端子がハウジングの端子収容室に装着され、複数の電線挿通孔を有するマットシールが端子収容室の後端に装着される防水コネクタが知られている（例えば、特許文献１）。
【０００３】
図８に示す特許文献１の防水コネクタ１００は、雄ハウジング２００と、雄ハウジング２００の後端側にキャビティ（端子収容室）１１１の入口に開口して形成される装着孔１１２と、装着孔１１２に嵌着され貫通孔１２１を備える一括ゴム栓１２０と、一括ゴム栓１２０を保持するゴム栓押さえ１３０と、キャビティ１１１内に挿入する雌端子１４０と、を備える。そして、電線１５０の端末に固着された雌端子１４０が、一括ゴム栓１２０を貫通してキャビティ１１１内に後方から挿入され、正規位置まで挿入されたところでランス（係止部）１１４が弾性的に係止して抜け止めされ、一括ゴム栓１２０の貫通孔１２１が電線１５０の外周に密着することで、各キャビティ１１１の入口がシールされるようになっていることが開示されている。
【先行技術文献】
【特許文献】
【０００４】
【特許文献１】特開２００３−２９７４７９号公報
【発明の概要】
【発明が解決しようとする課題】
【０００５】
しかしながら、特許文献１に示される一括ゴム栓１２０では、電線１５０との接触圧力が不足して、熱（例えば、自動車等のエンジン熱）等で生じる可能性のある電線痩せや端子の動きに追従できず、気密性を十分満足できないという問題があった。
【０００６】
本発明は上記状況に鑑みてなされたもので、その目的は、電線とマットシールとの密着性を強化させ防水性能の向上が可能となる防水コネクタを提供することにある。
【課題を解決するための手段】
【０００７】
本発明の係る上記目的は、下記構成により達成される。
（１）  電線の端末に取り付けられた端子を装着可能な防水コネクタであって、前記端子を収容する端子収容室を有するハウジングと、前記電線が挿通する電線挿通孔を有し、前記端子収容室の後方に装着されるマットシールと、前記マットシールを前記ハウジングに固定するマットシールカバーと、を備え、前記マットシールの前記電線挿通孔に、前記電線に密着可能な内周リップが設けられ、当該内周リップの厚みがａ、高さがｂ、前記端子の移動可能範囲長さがｃのとき、ｃ＜ａ＜ｂが成立することを特徴とする防水コネクタ。
【０００８】
上記（１）の構成の防水コネクタによれば、マットシールの電線挿通孔に電線が挿入されると内周リップ同士が当接して、内周リップと電線との当接面積及び接触圧力を増大させ、内周リップと電線との密着面に於ける水密性を高めるため、防水コネクタの防水性が向上する。内周リップの厚みａと高さｂ及び端子の移動可能範囲長さｃの間では、ｃ＜ａ＜ｂの関係が成立しているため、端子の移動が十分許容でき、内周リップが端子の移動に容易に追従可能である。そして、端子の動きに合わせて内周リップが追従していくことで、内周リップと電線との水密性が確保され、防水性が向上する。
一方、内周リップが電線をやや圧縮したように密着しているため、熱の影響により電線痩せが生じ易くなる。しかしながら、電線痩せが生じたとしても、端子の移動可能範囲に対して内周リップが十分追従可能であるため、内周リップと電線との当接面積が十分確保されため、長期間の使用に対しても安定した防水性能が維持できる。
そして、マットシールは端子収容室の後端とマットシールカバーの前端とで挟持されているため、端子が所定の位置に位置決めされた後、内周リップ外方向への変形が抑制されるため、電線への水密性がより強化される。更に、電線が電線挿通孔を挿通移動中は、挿入方向に内周リップが変形するため、内周リップと電線と接触摩擦力が緩和され、作業性を向上することができる。
【発明の効果】
【０００９】
本発明に係る防水コネクタによれば、マットシールの電線挿通孔に於ける内周リップと電線との水密性が図られ防水コネクタの防水性向上が可能となる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】本発明の一実施形態に係る防水コネクタを示し、（ａ）は分解斜視図、（ｂ）は（ａ）の１Ａ部分における断面の拡大図、（ｃ）は（ａ）の１Ｂ部分における断面の拡大図で端子とハウジングとの係止状態を示す。
【図２】本発明の一実施形態に係る防水コネクタを示し、（ａ）はハウジングの斜視図、（ｂ）はマットシールの正面図、（ｃ）はマットシールカバーの斜視図、（ｄ）は端子の斜視図である。
【図３】本発明の一実施形態に係る防水コネクタの組み付けを示し、（ａ）は組み付け時の分解斜視図、（ｂ）はマットシールカバーをハウジングに組み付けた斜視図、（ｃ）は（ｂ）の３Ａ断面図と拡大図である。
【図４】図３に続く防水コネクタの組み付けを示し、（ａ）は端子組み付け時の分解斜視図、（ｂ）は図３（ｂ）における電線挿入時の３Ａ断面図と拡大図（図１（ｃ）と同じ）である。
【図５】本発明に係るマットシールの詳細を示し、（ａ）は図４（ｂ）と同じ断面図、（ｂ）は（ａ）の５Ａ部分拡大図である。
【図６】本発明に係るマットシールと電線との関係を示す図５（ａ）の５Ａ部分拡大図で、（ａ）は内周リップと電線との接触状態を示し、（ｂ）は内周リップと電線との密着状態を示す。
【図７】本発明に係る内周リップと電線との関係を示し、（ａ）は図１（ｃ）と同じ拡大図、（ｂ）は図５（ａ）の５Ａ部分拡大図である。
【図８】マットシールを備える従来の防水コネクタの縦断面図である。
【発明を実施するための形態】
【００１２】
以下、本発明に係る実施形態に関して図面を参照して説明する。
図１及び図２に示すように、本発明の一実施形態に係る防水コネクタ１は、ハウジング１０と、マットシール２０と、マットシールカバー３０と、端子４０と、を備えている。ハウジング１０は、略四角形状の樹脂成形品からなり、端子４０を装着可能に収容する複数の端子収容室１１と、端子収容室１１の後方に設けられマットシール２０を収容するマットシール収容部１２と、ハウジング１０の外周に設けられた複数の係合突起部１３と、を備える。
【００１３】
マットシール２０は、矩形平板状に形成され、例えばシリコンゴム等の弾性材料からなり、マットシール２０を貫通し端子４０と電線５０が挿通する複数の電線挿通孔２１を有している。マットシールカバー３０は、端子４０と電線５０が挿通する複数の端子貫通孔３１と、マットシールカバー３０の外周に設けられ係合突起部１３と係合する複数の係合部３２と、を有している。
【００１４】
端子４０は、略長方形状の電気的導通性のある金属片からなり、電線５０の端末部と固定する電線圧着部４１を有し、電線圧着部４１には、電線圧着部４１の一側面に上部に突出する係止片４２が設けられている（図２（ｄ）参照）。
【００１５】
また、図１（ｂ）に示すように、マットシール２０の電線挿通孔２１には、先端が断面略球形状を呈し電線５０に密着可能な複数の内周リップ２２が設けられている。そして、内周リップ２２は、厚みがａであり高さがｂである断面略細長形状をなし、厚みａは高さｂに比較して短く（ａ＜ｂ）形成されている。
【００１６】
一方、図１（ｃ）に示すように、端子４０は、端子収容室１１の所定の位置に配置されるが、係止部１４の係り代を確保するため、ハウジング１０の前方方向（図面左方向）に移動可能範囲長さｃを持って移動可能に係止されている。そして、内周リップ２２の厚みａと内周リップの高さｂ及び端子４０の移動可能範囲長さｃの間では、ｃ＜ａ＜ｂの関係が成立する。
【００１７】
次に、図３及び図４を用いて上記構成を備える防水コネクタ１の組み付けについて説明する。
【００１８】
ハウジング１０に設けられたマットシール収容部１２にマットシール２０を挿入する（図３（ａ）参照）。その際、マットシール２０の外周面は、マットシール収容部１２の内周面と密着するためマットシール２０とハウジング１０との防水性が確保される。マットシールカバー３０をマットシール２０の後方からマットシールを押圧するように当接させ、ハウジング１０の係合突起部１３とマットシールカバー３０の係合部３２とを係合する（図３（ｂ）（ｃ）参照）。そして、マットシール２０は、端子収容室１１の後端とマットシールカバー３０の前端とで挟持され、ハウジング１０内に位置固定される。
【００１９】
次に、電線５０が固定された端子４０をマットシールカバー３０の後方から端子貫通孔３１に挿入し、マットシール２０の電線挿通孔２１を通してハウジング１０の端子収容室１１に挿入する（図４（ａ）参照）。
【００２０】
そして、端子収容室１１の先端近傍には係止部１４が設けられており、係止部１４と係止片４２とが当接係合して、端子４０が端子収容室１１内の所定の位置に係止される。端子４０は、挿入側方向に対しては係止部１４と係止片４２との当接により移動が係止されているが、端子収容室１１の内壁１６と電線圧着部４１の先端との間は隙間（幅ｃ）があるため、端子４０が端子収容室１１の内方向に移動することがある。この許容範囲を端子４０の移動可能範囲長さｃと定義する（図４（ｂ）参照）。
【００２１】
内周リップ２２と電線５０との関係を図５及び図６を用いて詳述する。
【００２２】
マットシール２０に形成されている複数の内周リップ２２は、隣接する側面同士が略平行に対向して形成され、その底部に谷部２３が形成され、内周リップ２２同士が離間して配置されている。従って、内周リップ２２は、電線５０が挿通する電線挿通孔２１の端子４０の挿入方向（図面左手方向、矢印５Ｂ参照）及びマットシール２０の内方向（図面上下方向、矢印５Ｃ参照）に変形可能である（図５（ｂ）参照）。
【００２３】
また、内周リップ２２間の近接距離Ｄ１は電線５０の外径幅Ｄ２よりも小さく形成されているため（図６（ａ）参照）、電線５０が挿通すると上下方向に内周リップ２２が押圧変形され、内周リップ２２の一側面が対向して設けられている隣接内周リップ２２の側面と当接する（図６（ｂ）参照）。
【００２４】
この内周リップ２２同士の当接により、内周リップ２２と電線５０との当接面積及び接触圧力が増大するため、内周リップ２２と電線５０との密着面に於ける水密性が高くなり、防水コネクタ１の防水性が向上する。
【００２５】
図７を用いて端子４０の移動と内周リップ２２との関係を説明する。
【００２６】
上述したように、端子収容室１１の内壁１６と電線圧着部４１の先端との間は隙間があるため、端子４０は端子収容室１１の内方向に長さｃで移動可能である。内周リップ２２の厚みａと、内周リップ２２の頂部と谷部２３の底部との距離である内周リップの高さｂ、及び端子４０の移動可能範囲長さｃの間では、内周リップ２２の厚みａが端子４０の移動可能範囲長さｃよりも大きく形成され（ｃ＜ａ）、また、ｃ＜ａ＜ｂの関係が成立しているため、端子４０の移動が十分許容でき、内周リップ２２が端子の移動に容易に追従可能である。そして、端子４０の動きに合わせて内周リップ２２が追従していくことで、内周リップ２２と電線５０との水密性が確保され、防水性が向上する。
【００２７】
一方、内周リップ２２が電線５０をやや圧縮したように密着しているため、熱の影響により電線痩せが生じ易くなる。しかしながら、例えばＳ−Ｓ線まで電線痩せが生じたとしても、端子４０の移動可能範囲に対して内周リップ２２が十分追従可能であるため、内周リップ２２と電線５０との当接面積が十分確保され、長期間の使用に対しても安定した防水性能が維持できる。
【００２８】
また、マットシール２０は端子収容室１１の後端とマットシールカバー３０の前端とで挟持されているため、端子４０が所定の位置に位置決めされた後、内周リップ２２外方向への変形が抑制されるため、電線５０への水密性が強化される。更に、電線５０が電線挿通孔２１を挿通移動中は、挿入方向に内周リップ２２が変形するため、内周リップ２２と電線５０と接触摩擦力が緩和され、作業性を向上することができる。
【００２９】
以下では、本実施形態に係る防水コネクタについて纏める。
（１）  実施形態の係る防水コネクタ１は、電線５０の端末に取り付けられた端子４０を装着可能な防水コネクタ１であって、前記端子４０を収容する端子収容室１１を有するハウジング１０と、前記電線５０が挿通する電線挿通孔２１を有し、前記端子収容室１１の後方に装着されるマットシール２０と、前記マットシール２０を前記ハウジング１０に固定するマットシールカバー３０と、を備え、前記マットシール２０の前記電線挿通孔２１に、前記電線５０に密着可能な内周リップ２２が設けられ、当該内周リップ２２の厚みがａ、高さがｂ、前記端子４０の移動可能範囲長さがｃのとき、ｃ＜ａ＜ｂが成立する。
【００３０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３１】
１：防水コネクタ
１０：ハウジング
１１：端子収容室
１２：マットシール収容部
１３：係合突起部
２０：マットシール
２１：電線挿通孔
２２：内周リップ
３０：マットシールカバー
３１：端子貫通孔
３２：係合部
４０：端子
４１：電線圧着部
５０：電線
ａ：内周リップの厚み
ｂ：内周リップの高さ
ｃ：端子の移動可能範囲長さ
【図１】
2015041425.tif 000003
【図２】
2015041425.tif 000004
【図３】
2015041425.tif 000005
【図４】
2015041425.tif 000006
【図５】
2015041425.tif 000007
【図６】
2015041425.tif 000008
【図７】
2015041425.tif 000009
【図８】
2015041425.tif 000010